(57)【要約】      （修正有）【課題】帯結びが容易で型崩れし難く、また多くの紐で身体が締め付けられたり結び目で圧迫されたりして苦痛を感じるということがなく、しかも変化に富んだ独創的な帯結びを実現することができ、更には小物を携行することも出来る和洋装用ベルトを提供する。【解決手段】長尺に作られたベルト本体２と、このベルト本体２の長手方向一方端に設けられた係着部３１と、ベルト本体２の長手方向に所定間隔を有して配置された複数の通孔４１，５１により形成された少なくとも一列の通孔列４，５と、各通孔４１，５１に取付けられてベルト本体２に添設された環状の係止紐部材９とからなり、環状の係止紐部材９の先端を任意の通孔４１，５１にベルト本体２の一面から通して他面に突出させ、係止紐部材９の基端９３または先端９２の部分を、ベルト本体２の幅方向端部を超えてベルト本体２の他面から突出している係止紐部材９の先端９２または基端９３の部分に挿通する。【選択図】図１
0003115537.tif 000002
【実用新案登録請求の範囲】
【請求項１】
長尺に作られたベルト本体と、このベルト本体の長手方向一方端に設けられた前記ベルト本体の表面の任意位置に係着可能な係着部と、前記ベルト本体の長手方向に所定間隔を有して配置された複数の通孔により形成された少なくとも一列の通孔列と、前記各通孔に取付けられて前記ベルト本体に添設された環状の係止紐部材とからなり、前記一方端に設けられた係着部をベルト本体の長手方向他端付近の表面あるいは裏面に係着することにより身体の胴部に巻回状態で装着可能とした和洋装用ベルトにおいて、前記環状の係止紐部材の先端を前記任意の通孔にベルト本体の一面から通して他面に突出させ、前記係止紐部材の基端または先端の部分を、ベルト本体の幅方向端部を超えて前記ベルト本体の他面から突出している係止紐部材の先端または基端の部分に挿通することで、前記ベルト本体に環状の係止紐部材を添設したことを特徴とする和洋装用ベルト。
【請求項２】
前記環状の係止紐部材が丸紐の両端を係着することにより形成されている請求
項１に記載した和洋装用ベルト。
【請求項３】
前記環状の係止紐部材の係着部分が合成樹脂製の管により被覆されている請求項１または２に記載した和洋装用ベルト。
【請求項４】
前記通孔に鳩目が装着されている請求項１、２または３に記載した和洋装用ベルト。
【請求項５】
前記通孔に装着された鳩目が合成樹脂製である請求項４に記載した和洋装用ベルト。
【請求項６】
前記ベルト本体が身体に巻回装着したとき内側になる内側板部材と外側になる外側板部材との二層とされており、前記内側板部材が摩擦係数の小さい材質で作られ、前記外側板部材が摩擦係数の大きい材質で作られている請求項１、２、３、４または５に記載した和洋装用ベルト。
【請求項７】
前記内側板部材と外側板部材とが接着されている請求項６に記載した和洋装用ベルト。
【請求項８】
前記ベルト本体が単一の板部材で作られ、身体に巻回装着したとき内側になる内側表面が小さい摩擦係数であり、外側表面が大きい摩擦係数となるよう加工された請求項１、２、３、４または５に記載した和洋装用ベルト。
【請求項９】
前記ベルト本体に複数の通気孔を形成した請求項１、２、３、４、５、６、７または８に記載した和洋装用ベルト。
【請求項１０】
前記ベルト本体の周縁にパイピングが施されている請求項１、２、３、４、５、６、７、８または９に記載した和洋装用ベルト。
【考案の詳細な説明】
【技術分野】
【０００１】
本考案は和装及び洋装において各種の帯結びを行なうための和洋装用ベルトに関するものである。
【背景技術】
【０００２】
一般的に着物の着付け、特に帯結びは熟練を要し、自分で手早くしかも美しく仕上げるのは相当に困難であるため、着物を着る際には美容院などで着付けの専門家に依頼したり、自分で着るために着付け教室に通うなどといったことが行なわれており、誰でも気軽に着られるものではなくなっている。また着用中、帯自体は勿論、帯枕や帯揚げ、帯締め、仮紐など多くの紐類で身体の胴部を締め付けるため、少なからず苦痛を感じることとなり、さらにその結び目が身体の前面に集中すると結び目が身体を圧迫してさらに苦痛を感じることとなる。
このような事情から現在着物は着用される機会が極めて少なく、特に若年層にとっては縁遠いものとなっている。
【０００３】
しかしながら、着物は日本固有の伝統的装束であるだけでなく国際的に評価も高い美しい装束であり、また着物にまつわる織物・染物その他の技術や茶道など文化の保護・育成の面からも、今後着物がより多くの人に着用されて身近なものとなることが望まれている。
そのためには、着付けの困難さや着用中の苦痛を軽減することが必要であり、これは着付けが容易なら着用したいと考えている需要者の要望にも応えるものである。
【０００４】
この問題を解決するために、出願人は実用新案登録第３１０１６８４号公報記載の帯結び用の帯板を提供している。この帯結び用帯板の一つは、長尺に作られた帯本体と、この帯板本体の長手方向両端部に設けられた互いに係脱自由な係着部片と、前記帯板本体の長手方向に所定間隔を有して配置された複数の通孔により形成された少なくとも一列の通孔列と、前記通孔に取付けられて前記帯板本体に添設された係止部材とからなり、前記両端部の係着部片を互いに係着することにより身体の胴部に巻回状態で装着可能とし、前記係止部材として、前記帯板本体を縫うように挿通される細紐を提案している。
【０００５】
この帯結び用帯板を用いて帯結びを行なえば、帯結びの困難さが軽減され、また多くの紐で身体が締め付けられたり結び目で圧迫されたりして苦痛を感じるということがないばかりか、この通孔間に細紐を渡してなる構成の係止部材は、所望の位置にある細紐を選んでその細紐に帯・紐・リボンなどをくぐらせて係止したり、端を結びつけたりすればよく、使い方の簡単な優れたものである。
【特許文献１】実用新案登録第３１０１６８４号公報
【考案の開示】
【考案が解決しようとする課題】
【０００６】
しかしながら、出願人が提供した前記帯結び用帯板の、通孔間に細紐を渡してなる構成の係止部材は、帯板本体に配置された複数の通孔間を連続して縫うように挿通されているため、一つの係止部材に最適な緩みを持たせることが出来ない。何故なら、全ての係止部材に均一で最適な緩みを持たせると、これらが繋がっていることから、少数の係止部材を用いた時緩みが多過ぎ、また別の係止部材を使用する度に大きく動いてしまう等の問題があって使用に適さず、反面あまり緩めずに挿通していると係止部材を使用するに従ってきつくなり、帯などをくぐらせるのが極めて困難となる。特に女性は爪を長くしていることが多いため、この帯などをくぐらせ難いという問題は重要であった。
また着物にはポケットが無いため、小物の携行が出来ないという別の問題も有している。
【０００７】
そこで本考案はこれらの課題を解決するものであり、女性に特有の長い爪でも安心して使うことができる和洋装用ベルトであって、帯結びが容易で型崩れし難く、また多くの紐で身体が締め付けられたり結び目で圧迫されたりして苦痛を感じるということがなく、しかも変化に富んだ独創的な帯結びを実現することができ、更には小物を携行することも出来る和洋装用ベルトを提供すること、延いては着物を手軽で身近なものとすることにより着物を敬遠している若い人も含めて多くの人々に着用されることを目的とする。
【０００８】
また、近頃、パーティなどにおいて或いは町中においても、着物に限らず洋装においても、飾り帯を着用する機会が増えており、これらの場合にも和装の場合と同様に帯が結びにくかったり着用した帯が緩んだり結び目の重さで下に垂れてしまったりすることもあり、このような場合を含めて世界各国で着装される服装に用いられる帯にも対応可能な和洋装用ベルトを提供することも本考案の目的でもある。
【課題を解決するための手段】
【０００９】
上述のような課題を解決するためなされた本考案に係る一つの和洋装用ベルトは、長尺に作られたベルト本体と、このベルト本体の長手方向一方端に設けられた前記ベルト本体の表面の任意位置に係着可能な係着部と、前記ベルト本体の長手方向に所定間隔を有して配置された複数の通孔により形成された少なくとも一列の通孔列と、前記各通孔に取付けられて前記ベルト本体に添設された環状の係止紐部材とからなり、前記一方端に設けられた係着部をベルト本体の長手方向他端付近の表面あるいは裏面に係着することにより身体の胴部に巻回状態で装着可能とした和洋装用ベルトにおいて、前記環状の係止紐部材の先端を前記任意の通孔にベルト本体の一面から通して他面に突出させ、前記係止紐部材の基端または先端の部分を、ベルト本体の幅方向端部を超えて前記ベルト本体の他面から突出している係止紐部材の先端または基端の部分に挿通することで、前記ベルト本体に環状の係止紐部材を添設したものである。
【００１０】
前記和洋装用ベルトは、ベルト本体を着物やドレスなどの上から身体の胴部に巻き付け、長手方向一方端の係着部を他端付近の表面あるいは裏面に係着することにより身和洋装の体の胴部に装着し、ベルト本体の上に帯を巻いて帯結びを行なうものであるが、胴回り全体にベルト本体が存在するため、帯・紐類が身体に食い込む心配がない。また、ベルト本体と着物との間にタオルなどを挟んでおいて後に取り除くことにより、ベルト本体と身体との間に適当なゆとりを作ることもできる。
【００１１】
そして、帯、あるいは帯枕の紐、変わり結び用の仮紐類、装飾用のリボン類、その他の紐類を、前記通孔に取付けられている環状の係止紐部材に挿通して使用する。その際この係止紐部材を取り付ける通孔はベルト本体の長手方向に所定間隔を有して複数配置されているので、必要な位置の通孔に係止紐部材を取り付ければよい。
【００１２】
例えば和装の場合に帯枕を取り付ける場合は、身体の両脇に位置する通孔に前記係止紐部材を取り付け、帯枕の両側の紐をそれぞれの環状の係止紐部材に挿通し、次いでその紐をそれぞれ帯枕側に折り返して強く引き締め、両端を帯枕の下側で結べば、帯枕の紐で身体を緊縛することなくしっかりと帯枕を取り付けることができる。しかも紐の結び目が身体の前面を圧迫することも無い。
【００１３】
また前記環状の係止紐部材は、その環状の一部を前記通孔に通してベルト本体の一面から突出させ、他面側に残る他の部分をベルト本体の幅方向端部を超えて前記ベルト本体の一面から突出している係止紐部材の一部に挿通することで取り付けているので、所望の位置に簡単に取り付け、また簡単に取り外しができるばかりでなく、ベルト本体を身体の胴部に装着する前後いずれでも取り付けることができる。
【００１４】
そして、帯の一部や、変わり結び用の仮紐類、リボン類、その他の紐類を、胴回りの自由な位置、特に従来は不可能であった位置に仮止めしたり、取り付けることができるので、従来の変わり結びが容易にできるだけでなく、独創的な変化に富んだ変わり結びも可能となる。
【００１５】
更に、前記係止紐部材に鍵や財布などの貴重品、携帯電話、造花やぬいぐるみなどの飾りなど必要に応じて様々なものを取り付けて携行できる。
【００１６】
特に、前記通孔列の少なくとも二列がベルト本体のほぼ全長にわたって、ベルト本体の幅方向両端に設けられていると、和洋装用ベルトの上下いずれの場所にも前記係止紐部材を取り付けることができ使い勝手がよい。
【００１７】
この時、係止紐部材に丸紐を用い、あるいは更にその係着部分を合成樹脂により被覆すれば、係止紐部材の強度が増し、通孔に鳩目を装着すれば力の掛かる通孔の強度が増し金属に比べて合成樹脂製とすれば軽量で錆びにくく、また、着色によりデザイン上の変化を付けることもできる。
【００１８】
また、以上のような和洋装用ベルトにおいて、前記ベルト本体が身体に巻回装着したとき内側になる内側板部材と外側になる外側板部材との二層とされており、前記内側板部材が摩擦係数の小さい材料で作られ、前記外側板部材が摩擦係数の大きい材料で作られている場合は、ベルト本体の外周に帯を結んだ際、ベルト本体の外側と帯との摩擦が大きいため双方が胴回り方向や上下方向に簡単にずれる心配がないため、必要以上に帯などを緊縛することがなく、しかも着物とベルト本体との摩擦は小さく滑りがよいので、結帯後に帯をベルト本体とともに胴回り方向に回すことが極めて容易であるため、一人で身体の前で結んだ後背中側に回す一人結びにも適したものとなる。
【００１９】
更に、係止紐部材は、それぞれが最適な軽量有しているので帯などを挿通する際で使用するので爪を長くしている場合にもくぐらせ易く、しかもポケットが無くても、小物の携行が可能で、加えて、前記ベルト本体が実質的に単一の板部材で作られ、且つ内側表面が小さい摩擦係数とされ外側表面が大きい摩擦係数とされた場合は、製造が簡単となる。
【００２０】
そして、以上のような和洋装用ベルトに、係止紐部材を取り付けるための通孔だけでなく、通気用の孔も形成すると、巻回装着した帯の内側が蒸れることなく快適な装着感を得ることができ、また和洋装用ベルトのベルト本体の周縁にパイピングが施されているとベルト本体周縁の当たりが柔らかくなり、内側板部材と外側板部材との二層である場合はそれらが剥がれる心配も無い。
【考案を実施するための最良の形態】
【００２１】
次に、本考案の実施の態様を図面に基づいて説明する。
【００２２】
図１乃至図３は本考案である和洋装用ベルト１を和装用の帯について実施した場合の好ましい実施の形態の一例を示すものであり、ベルト本体２は身体の胴部に巻回した際に身体側にあって着物と接触する内側板部材２１と、この内側板部材２１の外側にあって帯と接触する外側板部材２２とを重ね合わせて、例えば幅１０ｃｍ〜２０ｃｍ（和装において好ましくは１４ｃｍ程度）、長さ６０ｃｍ〜１５０ｃｍ程度に形成されている。
【００２３】
もっとも、ベルト本体２の幅や長さは、例えば使用者の体型や使用する帯の幅に合わせて設計するとよく、例えば体型毎にＳサイズ、Ｍサイズ  Ｌサイズ、子供用などを揃えておくとよいが、身体に巻回可能であれば使用することは可能であり、特に洋装について使用する場合には幅が５ｃｍ、８ｃｍなど各種の幅に対応するように複数種類のものを揃えるとよい。
【００２４】
内側板部材２１は、ポリエチレン、ポリプロピレン、ポリアミドなどの熱可塑性樹脂をそのままあるいは適度に発泡させた適宜の厚さを有する板材からなり、表面が摩擦係数の小さい滑りやすいものとなっており、長尺方向の一方の端部に、面ファスナ３の一方（例えばフック部）を構成する係着部片３１が設けられている。
【００２５】
外側板部材２２は、例えば綿、ポリアミド、ポリエステル、アセテートなどの繊維層の単層あるいは多層からなり、表面が摩擦係数の大きい滑りにくいものとなっており、殊に、本実施の形態では外側板部材２２の表面が前記係着部片３１と面ファスナ３を形成する例えばループのような係着部３２を形成する。
【００２６】
また、ベルト本体２の上端縁および下端縁に沿って長手方向に所定間隔を有して配置された複数の内側板部材２１と外側板部材２２とに貫通する通孔４１，４１…  …４１により通孔列４が、通孔５１，５１…  …５１により通孔列５がそれぞれ形成されており、前記各通孔４１，４１…  …４１および５１，５１…  …５１は直径が１０ｍｍ程度で硬質合成樹脂製の鳩目６がそれぞれ装着されている。
【００２７】
更に、ベルト本体２の周縁には例えば合成樹脂のシート材などにより形成されるパイピング６が施されているとともにベルト本体の中央部に複数の通気用の孔８が形成されている。尚、本実施の形態ではベルト本体２を形成する外側板部材２２は、例えば綿、ポリアミド、ポリエステル、アセテートなどの繊維層の単層あるいは多層からなり、基本的に通気性を有していることから内側板部材２１にだけ形成されている。
【００２８】
更にまた、前記通孔列４（５）を形成する各通孔４１（５１）には、丸紐の両端を例えば縫着、接着などにより係着して環状に形成されている係止紐部材９が添設されている。
【００２９】
更に詳しく説明すると、係止紐部材９は適宜長さの環状に形成され、基端側に形成される係着部分が柔軟な合成樹脂製の管９１により被覆されており、図３（ａ）に示すように、先端部分９２を例えば通孔４１にベルト本体２の一面（例えば内側面）から通して他面（表面）に突出させ（図３（ｂ）参照）、係止紐部材９の基端部分９３を、ベルト本体２の幅方向端部を超えて前記ベルト本体２の他面（表面）から突出している係止紐部材９の先端９２部分に挿通することで、ベルト本体２に環状の係止紐部材９を添設する。
【００３０】
尚、本実施の形態では、内側板部材２１の裏面に面ファスナ３の一方（例えばフック部）を構成する係着部片３１を設け、外側板部材２２の表面に前記係着部片３１と面ファスナ３を形成する例えばループのような係着部３２を形成する者としたが、外側板部材２２の表面全体を係着部３２とする必要もなく所定の位置に前記係着部片３１に係着する係着部片を設けてもよく（図示せず）、面ファスナ３は係脱自在であれば、例えばフックなどでもよい。
【００３１】
このような本実施の態様である和洋装用ベルト１を使用するには、図４に示すように、着物１０を着た身体の胴部に巻回して面ファスナ３を係着することによりベルト本体２を装着する。このとき、図５に示すように予め身体の同回りの最適な位置となる通孔４１，４１に掛止紐部材９，９を取り付けておくとよい。尚、ここでは身体の前面で帯結びを行なう場合について説明する。
【００３２】
そして次に、図６に示すように、一方の通孔４１に添設した係止紐部材９に帯１１の一方の端部１１ａを挿通・結束して繋着させるとともに、図７に示すように、帯１１をベルト本体２に沿って少なくとも一回り巻回させ、その先端１１ｂをもう一方の通孔４１に添設した係止紐部材９に挿通させて、挿通方向に牽引した後、係止紐部材９の部分で前記端部１１ａの場合と同様に結束する。
【００３３】
このような状態で、帯１１の胴部回りの部分１１ｃは和洋装用ベルト１を介して胴部に所定の締付け力で固定され、しかも、胴部回りの部分１１ｃは両端が和洋装用ベルト１の所定位置に配置される２つの通孔４１，４１に添設した係止紐部材９，９間に結束されているので緩む心配がない。
【００３４】
従って、図８に示すように、帯１１の両端１１ａ，１１ｂを互いに絡めたりして各種の帯結びをする。この際、係止紐部材９を後ろから取り付けることもできるので、自由に取り付けて利用しながら独創的な帯結びを考え出すこともできる。帯１１を結び終わった後、結んだ帯１１を固定した本発明である和洋装用ベルト１と一緒に回転させて背中側に装着すればよい
【００３５】
また、図９は、帯１１の装着過程での帯枕１２などを使用する際の使用例を示すものであり、枕部１２ｂを身体の前面で押さえつつ両側の紐１２ａ，１２ａを和洋装用ベルト１の身体の両脇当たりに添設置した係止紐部材９，９に挿通させた後再び前側に持ってきて枕部１２ｂの下で結ぶことにより、身体を緊縛することなく帯枕１２を確実に固定して装着することができる。しかも結帯後、結びあがった帯１１と和洋装用ベルト１とを一緒に胴回りを回すことにより、帯枕１２の紐１２ａ，１２ａの結び目は、最終的に背中側に移動して終了するので胃のあたりを圧迫することもない。
【００３６】
更に、図１０に示すように、結帯後、和洋装用ベルト１に形成された複数の通孔４１，５１に直接或いはこれらの通孔４１，５１に前記と同様にして添設させた係止紐部材９を介して、携帯電話１３や鍵１４、財布（図示せず）などをきわめて容易且つ安全に携行することができる。尚、必要な場合には、フック１５を介して繋着してもよい。
【００３７】
以上のように本実施の形態は、きわめて簡単且つ確実に帯を一人で身体の前で結んだ後背中側に回す一人結びにも適したものとなる。更に、結帯後和洋装用ベルト１に形成した複数の通気孔８は、着物を着たときに特にむれやすい帯部の通気性を向上させ、装着感の良いものとなる。
【００３８】
また、前記環状の係止紐部材９は、一つ一つ独立した環状であるので、適宜長さの環状に形成され、基端側に形成される係着部分が柔軟な合成樹脂製の管９１により被覆されており、先端部分９２を例えば通孔４１にベルト本体２の一面（例えば内側面）から通して他面（表面）に突出させ、係止紐部材９の基端部分９３を、ベルト本体２の幅方向端部を超えて前記ベルト本体２の他面（表面）から突出している係止紐部材９の先端９２部分に挿通することでベルト本体２に添設されているので、複数の通孔４１，５１の内で所望の位置に簡単に取り付け、また簡単に取り外しができるばかりでなく、ベルト本体２を身体の胴部に装着する前後いずれでも取り付けることができる。
【００３９】
更に、前記通孔列４，５の少なくとも二列がベルト本体２のほぼ全長にわたって、ベルト本体２の幅方向両端に設けられていると、使用に際して天地の区別なく装着でき、また、和洋装用ベルト１の上下いずれの場所にも前記係止紐部材８取り付けることができ使い勝手がよく、係止紐部材９として丸紐を用い、あるいは更にその係着部分を合成樹脂の管９１により被覆すれば、通路が確保されて帯１１などを通しやすいし摩擦に強くなり、係止紐部材９の強度が増す。
【００４０】
また本実施の形態では、和洋装用ベルト１を形成するベルト本体２を身体に巻回装着したとき内側になる内側板部材２１と外側になる外側板部材２２との二層とされており、内側板部材２１が摩擦係数の小さい材料で作られ、外側板部材２２が摩擦係数の大きい材料で作られているので、ベルト本体２の外周に帯１１を結んだ際、ベルト本体２の外側と帯１１との摩擦が大きいため双方が胴回り方向や上下方向に簡単にずれる心配がないため、必要以上に帯などを緊縛することがなく、しかも着物１０とベルト本体２との摩擦は小さく滑りがよいので、結帯後に帯１１をベルト本体２とともに胴回り方向に回すことが極めて容易であるため、一人で身体の前で結んだ後背中側に回す一人結びにも適したものとなる。
【００４１】
特に、ベルト本体２が実質的に単一の板部材で作られ、且つ内側表面が小さい摩擦係数とされ外側表面が大きい摩擦係数とされた場合は、製造が簡単となる。加えて、本実施の形態では、和洋装用ベルト１のベルト本体２の周縁にパイピング７が施されているのでベルト本体２周縁の当たりが柔らかくなり、内側板部材２１と外側板部材２２との二層である場合はそれらが剥がれる心配も無い。
【００４２】
更に、着色によりデザイン上の変化を付けることができ、サイズによって色を変えればサイズが一目瞭然となるという効果もある。
【００４３】
更にまた、図１１および図１３は本発明である和洋装用ベルト１を洋装の場合について実施した場合を示すものであり、前記和装の場合と同様に図１１に示すようにドレス１０を着用した上で、胴部に巻回して面ファスナ３を係着することによりベルト本体２を装着する。このとき、予め身体の同回りの最適な位置となる通孔４１，４１に掛止紐部材９，９を取り付けておく。尚、ここでは身体の横部で帯結びを行なう場合について説明する。
【００４４】
そして次に、図１２に示すように、一方の通孔４１に添設した係止紐部材９に例えばジョーゼットなどできた帯１１の一方の端部１１ａを挿通・結束して繋着させるとともに、帯１１をベルト本体２に沿って少なくとも一回り巻回させ、その先端１１ｂをもう一方の通孔４１に添設した係止紐部材９に挿通させて、挿通方向に牽引した後、係止紐部材９の部分で前記端部１１ａの場合と同様に結束して、飾り部１１ｄを形成する。
【００４５】
このような状態で、帯１１の胴部回りの部分１１ｃは和洋装用ベルト１を介して胴部に所定の締付け力で固定され、しかも、胴部回りの部分１１ｃは両端が和洋装用ベルト１の所定位置に配置される２つの通孔４１，４１に添設した係止紐部材９，９間に結束されているので緩む心配がないばかりでなく、飾り部１１ｄがその重みで下方に垂れ下がる心配もない。
【００４６】
従って、図１３に示すように、帯１１の両端１１ａ，１１ｂを互いに絡めたり輪の部分を拡げたりして例えば花形など大型の飾り部分１１ｄを形成することができる。
【００４７】
尚、本実施の形態は一例であり、洋装においても和装の場合と同様に身体の後において結束するなど他の各種の結び方について利用することができるものである。
【００４８】
また、前記実施の形態については和装および洋装の場合を示したが、本考案である和洋装用ベルトは、所謂、和洋装に限るものでなく、例えば中国服を始めとして世界各国の装いに使用される帯に利用することができるものである。
【図面の簡単な説明】
【００４９】
【図１】本考案の一実施の形態を示す斜視図。
【図２】図１に示した実施の形態の平面図。
【図３】図１に示した実施の形態についての係止紐部材の装着状態を示す説明図。
【図４】図１に示した実施の形態の装着状態を示す説明図。
【図５】図１に示した実施の形態の異なる装着状態を示す説明図。
【図６】図１に示した実施の形態を用いた帯結びの手順を示す説明図。
【図７】図１に示した実施の形態を用いた帯結びの次の手順を示す説明図。
【図８】図１に示した実施の形態を用いた帯結びの更に次の手順を示す説明図。
【図９】図１に示した実施の形態を用いた異なる帯結びの手順を示す説明図。
【図１０】図１に示した実施の形態の異なる使用状態を示す説明図。
【図１１】図１に示した実施の形態の更に異なる使用状態を示す説明図。
【図１２】図１１に示した実施の形態を用いた帯結びの手順を示す説明図。
【図１３】図１１に示した実施の形態を用いた異なる帯結びの手順を示す説明図。
【符号の説明】
【００５０】
１  和洋装用ベルト 、  ２  ベルト本体、  ３  面ファスナ、  ６  鳩目、  ７  パイプ、  ３１  係着部、  ９  係止紐部材、  １１  帯、  ２１  内側板部材、  ２２  外側板部材、  ７  通気孔、  ９１  管
【図１】
0003115537.tif 000003
【図２】
0003115537.tif 000004
【図３】
0003115537.tif 000005
【図４】
0003115537.tif 000006
【図５】
0003115537.tif 000007
【図６】
0003115537.tif 000008
【図７】
0003115537.tif 000009
【図８】
0003115537.tif 000010
【図９】
0003115537.tif 000011
【図１０】
0003115537.tif 000012
【図１１】
0003115537.tif 000013
【図１２】
0003115537.tif 000014
【図１３】
0003115537.tif 000015